(57)【特許請求の範囲】
【請求項１】
外部の複数の音源データを読み込み記憶する音源ファイル１８と、この音源ファイル１８の音源データを再生する再生ユニット１４と、再生機種のデータを記憶する機器データメモリ１６と、前記音源データの読み込みと出力、前記機種データの読み込みと出力を制御するコントローラ１５と、前記音源ファイル１８の音源データのサンプリングレートを出力するサンプリングレート出力２１と、前記コントローラ１５から再生ユニット１４への再生出力に基いて再生サンプリングレートを出力する再生サンプリングレート出力２３と、前記サンプリングレート出力２１のサンプリングレートを表示する音源出力表示部１２と、前記再生サンプリングレート出力２３のサンプリングレートを表示する再生出力表示部１３とを具備し、前記音源データのサンプリングレート出力２１に加え、選択された前記音源データのファイルデータを出力するファイル形式出力２０を設け、前記再生サンプリングレート出力２３に加え、選択された前記機種データを出力する機種データ出力２２を設け、前記音源出力表示部１２は、前記ファイル形式出力２０から出力された音源データのファイル形式名を表示するファイル名表示部２４と、前記サンプリングレート出力２１から出力された音源データのサンプリングレートを、数値によりディジタル表示する数値表示部２５と棒線グラフによりアナログ表示する棒グラフ表示部２６を有し、前記再生出力表示部１３は、前記機種データ出力２２から出力された機種データ名を表示する再生機種名表示部２７と、前記再生サンプリングレート出力２３から出力された機種データのサンプリングレートを、数値によりディジタル表示する数値表示部２８と棒線グラフによりアナログ表示する棒グラフ表示部２９を有し、前記音源出力表示部１２を構成する前記ファイル名表示部２４、前記数値表示部２５、前記棒グラフ表示部２６と、前記再生出力表示部１３を構成する前記再生機種名表示部２７、前記数値表示部２８、前記棒グラフ表示部２９とを比較表示のためそれぞれ対応して配置したことを特徴とする音声携帯機器の表示装置。
【請求項２】
前記音源出力表示部１２を構成する前記ファイル名表示部２４、前記数値表示部２５、前記棒グラフ表示部２６と、前記再生出力表示部１３を構成する前記再生機種名表示部２７、前記数値表示部２８、前記棒グラフ表示部２９とを比較表示のためそれぞれ上下に対応して配置したことを特徴とする請求項１記載の音声携帯機器の表示装置。
【請求項３】
前記機種データ出力２２からの再生機種名の出力が不明のとき、前記再生出力表示部１３の前記再生機種名表示部２７に「ＯＴＨＥＲＳ」と表示するようにしたことを特徴とする請求項１又は２記載の音声携帯機器の表示装置。
【発明の詳細な説明】
【技術分野】
【０００１】
本発明は、音声携帯機器本体に外部から読み込んで記憶されている音源の周波数帯域と、この音声携帯機器本体で再生する周波数帯域とを比較表示できるようにした音声携帯機器の表示装置に関するものである。
【背景技術】
【０００２】
携帯型の音声再生用機器の機能の向上に伴い、より高音質の再生可能な機種を要望する機運が高まっている。これに伴い、音曲の音源は、ＣＤ（サンプリング周波数４４．１ｋＨｚ）以上のサンプリング周波数が９６ｋＨｚとか１９２ｋＨｚなどの高音質で記憶されたものも出始めている。
ところが、このような高音質の音源でありながら音声再生用機器がこのような音源を最大限に生かして再生できる機種であるかどうかを知ることができない。
従来より、携帯型の音声再生用機器にコードでイヤホンを接続するが、このコードの途中に複数個のＬＥＤを設け、これらのＬＥＤを、発光輝度、単色、カラー、固定、点滅、走馬灯、水流シミュレート動態などで点灯するものが知られている（例えば、特許文献１）。
【先行技術文献】
【特許文献】
【０００３】
【特許文献１】実用新案登録第３１８５４１２号公報
【発明の概要】
【発明が解決しようとする課題】
【０００４】
特許文献１に示したイヤホンでは、音量の変化、テンポの変化等を知ることができても周波数帯域を最大限再生できる再生機器かどうかを知ることはできない。
【０００５】
本発明は、音声携帯機器本体に外部から読み込み記憶されている音源の周波数帯域と、この音声携帯機器本体で再生する周波数帯域とを比較表示できるようにした音声携帯機器の表示装置を提供することを目的とするものである。
【課題を解決するための手段】
【０００６】
本発明による音声携帯機器の表示装置は、外部の音源データを読み込み記憶する音源ファイル１８と、この音源ファイル１８の音源データを再生する再生ユニット１４と、再生機種のデータを記憶する機器データメモリ１６と、音源データの読み込みと出力、機種データの読み込みと出力を制御するコントローラ１５と、前記音源ファイル１８の音源データのサンプリングレートを出力するサンプリングレート出力２１と、前記コントローラ１５から再生ユニット１４への再生出力に基いて再生サンプリングレートを出力する再生サンプリングレート出力２３と、前記サンプリングレート出力２１のサンプリングレートを表示する音源出力表示部１２と、前記再生サンプリングレート出力２３のサンプリングレートを表示する再生出力表示部１３とを具備してなることを特徴とする。
【０００７】
音源ファイル１８の音源データのファイルデータを出力するファイル形式出力２０と、機器データメモリ１６の機種データを出力する機種データ出力２２とをさらに具備し、前記ファイル形式出力２０のファイル形式名を音源出力表示部１２のファイル名表示部２４に表示するとともに、前記機種データ出力２２の機種データを再生出力表示部１３の再生機種名表示部２７に表示するようにしたことを特徴とする。
【０００８】
音源出力表示部１２は、サンプリングレート出力２１からの数値により表示する数値表示部２５と、棒線グラフにより表示する棒グラフ表示部２６を有し、再生出力表示部１３は、再生サンプリングレート出力２３からの数値により表示する数値表示部２８と、棒線グラフにより表示する棒グラフ表示部２９を有することを特徴とする。
【発明の効果】
【０００９】
請求項１記載の発明によれば、外部の複数の音源データを読み込み記憶する音源ファイル１８と、この音源ファイル１８の音源データを再生する再生ユニット１４と、再生機種のデータを記憶する機器データメモリ１６と、前記音源データの読み込みと出力、前記機種データの読み込みと出力を制御するコントローラ１５と、前記音源ファイル１８の音源データのサンプリングレートを出力するサンプリングレート出力２１と、前記コントローラ１５から再生ユニット１４への再生出力に基いて再生サンプリングレートを出力する再生サンプリングレート出力２３と、前記サンプリングレート出力２１のサンプリングレートを表示する音源出力表示部１２と、前記再生サンプリングレート出力２３のサンプリングレートを表示する再生出力表示部１３とを具備し、前記音源データのサンプリングレート出力２１に加え、選択された前記音源データのファイルデータを出力するファイル形式出力２０を設け、前記再生サンプリングレート出力２３に加え、選択された前記機種データを出力する機種データ出力２２を設け、前記音源出力表示部１２は、前記ファイル形式出力２０から出力された音源データのファイル形式名を表示するファイル名表示部２４と、前記サンプリングレート出力２１から出力された音源データのサンプリングレートを、数値によりディジタル表示する数値表示部２５と棒線グラフによりアナログ表示する棒グラフ表示部２６を有し、前記再生出力表示部１３は、前記機種データ出力２２から出力された機種データ名を表示する再生機種名表示部２７と、前記再生サンプリングレート出力２３から出力された機種データのサンプリングレートを、数値によりディジタル表示する数値表示部２８と棒線グラフによりアナログ表示する棒グラフ表示部２９を有し、前記音源出力表示部１２を構成する前記ファイル名表示部２４、前記数値表示部２５、前記棒グラフ表示部２６と、前記再生出力表示部１３を構成する前記再生機種名表示部２７、前記数値表示部２８、前記棒グラフ表示部２９とを比較表示のためそれぞれ対応して配置したので、音源ファイル１８に記憶されている音源データが例えば、９６ｋＨｚであるにもかかわらず、再生は、４８ｋＨｚで再生されていることが一見して区別できる。このことは、記憶されている音源を使用中の音声携帯機器本体１０では十分に再生されていないことが一見して理解できる。
また、音源出力表示部１２と再生出力表示部１３の表示が一致していれば、この音声携帯機器本体１０は、音源を十分生かして再生していることが理解できる。
【００１０】
請求項２記載の発明によれば、前記音源出力表示部１２を構成する前記ファイル名表示部２４、前記数値表示部２５、前記棒グラフ表示部２６と、前記再生出力表示部１３を構成する前記再生機種名表示部２７、前記数値表示部２８、前記棒グラフ表示部２９とを比較表示のためそれぞれ上下に対応して配置したので、音源のファイル形式名と、前記機種データ出力２２の機種データを表示することができる。
【００１１】
請求項３記載の発明によれば、前記機種データ出力２２からの再生機種名の出力が不明のとき、前記再生出力表示部１３の前記再生機種名表示部２７に「ＯＴＨＥＲＳ」と表示するようにしたので、ディジタル表示とアナログ表示で一見して明確に比較することができる。
【図面の簡単な説明】
【００１２】
【図１】本発明による音声携帯機器の表示装置の一実施例を示す正面図である。
【図２】内部の回路図である。
【発明を実施するための形態】
【００１３】
本発明の音声携帯機器の表示装置は、外部の音源データを読み込み記憶する音源ファイル１８と、この音源ファイル１８の音源データを再生する再生ユニット１４と、再生機種のデータを記憶する機器データメモリ１６と、音源データの読み込みと出力、機種データの読み込みと出力を制御するコントローラ１５と、前記音源ファイル１８の音源データのサンプリングレートを出力するサンプリングレート出力２１と、前記コントローラ１５から再生ユニット１４への再生出力に基いて再生サンプリングレートを出力する再生サンプリングレート出力２３と、前記サンプリングレート出力２１のサンプリングレートを表示する音源出力表示部１２と、前記再生サンプリングレート出力２３のサンプリングレートを表示する再生出力表示部１３とを具備してなる。
【００１４】
また、音源ファイル１８の音源データのファイルデータを出力するファイル形式出力２０と、機器データメモリ１６の機種データを出力する機種データ出力２２とをさらに具備し、前記ファイル形式出力２０のファイル形式名を音源出力表示部１２のファイル名表示部２４に表示するとともに、前記機種データ出力２２の機種データを再生出力表示部１３の再生機種名表示部２７に表示する。
【００１５】
さらに、音源出力表示部１２は、サンプリングレート出力２１からの数値により表示する数値表示部２５と、棒線グラフにより表示する棒グラフ表示部２６を有し、再生出力表示部１３は、再生サンプリングレート出力２３からの数値により表示する数値表示部２８と、棒線グラフにより表示する棒グラフ表示部２９を有する。
【実施例１】
【００１６】
本発明による音声携帯機器の表示装置の実施例１を図１及び図２に基き説明する。
図１において、１０は、音声携帯機器本体で、この音声携帯機器本体１０には、表示部１１が設けられ、イヤホンなどの再生ユニット１４が接続されている。また、前記表示部１１には、本発明特有の音源出力表示部１２と再生出力表示部１３が設けられている。
【００１７】
前記音声携帯機器本体１０の内部にコントローラ１５が設けられ、このコントローラ１５には、イヤホンからなる再生ユニット１４，外部音源データ１９から読み込んだ圧縮された音源を記憶する音源ファイル１８、音声携帯機器本体１０の持つ機種データを記憶している機器データメモリ１６、タッチパネル、スイッチなどの入力装置１７が接続されている。
【００１８】
前記コントローラ１５には、音源ファイル１８に記憶されたファイル形式名を出力するファイル形式出力２０と、音源ファイル１８に記憶された圧縮ファイルのサンプリングレートを解析し出力するサンプリングレート出力２１が接続され、これらのファイル形式出力２０とサンプリングレート出力２１は、前記音源出力表示部１２に接続されている。
【００１９】
前記コントローラ１５の再生ユニット１４への出力側には、機器データメモリ１６から取り込んだ機器データから機種データを出力する機種データ出力２２と、現在使用している音声携帯機器本体１０の再生サンプリングを解析して出力する再生サンプリングレート出力２３が接続され、これらは、再生出力表示部１３に接続されている。
【００２０】
以上のような構成による作用を説明する。
インターネット、パソコン、ＣＤなどの外部音源データ１９から外部音源データを音声携帯機器本体１０の入力装置１７を操作してコントローラ１５を介して音源ファイル１８に記憶する。外部音源データには、１９２ｋＨｚ、９６ｋＨｚなどの高周波数のサンプリングレートで高音質に圧縮されたものや圧縮されていないもの、それより低周波数のサンプリングレートのもの等があり、これらが混在して音源ファイル１８に記憶される。
【００２１】
音源ファイル１８に記憶された音源から入力装置１７を操作してコントローラ１５を介してファイル形式出力２０とサンプリングレート出力２１に取り込むと、ファイル形式出力２０では、「圧縮ファイル名」が出力し、音源出力表示部１２のファイル名表示部２４に表示される。サンプリングレート出力２１では、音源ファイル１８からの音源の周波数を解析し、サンプリングレートに変換し、数値データとして「９６ｋＨｚ」がディジタル表示されるとともに、一見して確認できるように０〜９６ｋＨｚまでの細かな間隔の棒グラフでアナログ表示される。
【００２２】
コントローラ１５から再生ユニット１４に出力されている再生データは、機種データ出力２２で音声携帯機器本体１０の機種名が出力されて再生出力表示部１３の再生機種名表示部２７に表示される。同時に、再生サンプリングレート出力２３では、音声携帯機器本体１０の持つ周波数データに基づき再生時のサンプリングレートが出力され、数値データとして「４８ｋＨｚ」がディジタル表示されるとともに、一見して確認できるように０〜４８ｋＨｚまでの細かな間隔の棒グラフでアナログ表示される。
【００２３】
このような表示とすることで、音源ファイル１８に記憶されている音源データが９６ｋＨｚであるにもかかわらず、再生は、４８ｋＨｚで再生されていることが一見して区別できる。このことは、記憶されている音源を使用中の音声携帯機器本体１０では十分に再生されていないことが一見して理解できる。
また、音源出力表示部１２と再生出力表示部１３の表示が一致していれば、この音声携帯機器本体１０は、音源を十分生かして再生していることが理解できる。
【００２４】
前記実施例では、機種データ出力２２からの出力で、再生出力表示部１３の再生機種名表示部２７に再生機種名を表示するようにしたが、再生機種名のデータがなかったり、判別できなかったりしたときは、「ＯＴＨＥＲＳ」と表示してこれも再生機種名に含むものとする。
前記実施例では、図１に示すように、再生ユニット１４を音声携帯機器本体１０にリード線などで外部接続とした例を示したが、再生ユニット１４は、音声携帯機器本体１０の内部に組み込まれているものも含むものとする。
前記実施例では、音源出力表示部１２と再生出力表示部１３をそれぞれ１つずつとしたが、例えば、ＬＲの信号がある場合などには、音源出力表示部１２と再生出力表示部１３は、それぞれ２以上の表示部とすることができる。
【符号の説明】
【００２５】
１０…音声携帯機器本体、１１…表示部、１２…音源出力表示部、１３…再生出力表示部、１４…再生ユニット、１５…コントローラ、１６…機器データメモリ、１７…入力装置、１８…音源ファイル、１９…外部音源データ、２０…ファイル形式出力、２１…サンプリングレート出力、２２…機種データ出力、２３…再生サンプリングレート出力、２４…ファイル名表示部、２５…数値表示部、２６…棒グラフ表示部、２７…再生機種名表示部、２８…数値表示部、２９…棒グラフ表示部。
【図１】
0006285580.tif 000002
【図２】
0006285580.tif 000003